(57)【要約】      （修正有）【課題】競技の対象となる物体などの移動を行うヒトに装着でき、その物体の初速を容易に測定できるヒト装着用速度測定装置およびそれを用いた速度測定方法を提供する。【解決手段】所定周波数の波を速度を測定する物体に向けて放射して該物体からの前記波の反射波を受信するアンテナを備え、前記反射波よりドップラー信号を検出して出力するドップラーセンサと、前記アンテナの前記ヒトへの装着手段３とを有し、前記ヒトの前記物体に接触する身体部分または前記ヒトと前記物体との間に介在する物から前記物体が離れるとき、該物体に向けて前記波を放射し、その反射波を受信してドップラー信号を検出する。【選択図】図３
2019217287.tif 000002
【特許請求の範囲】
【請求項１】
靴と、
前記靴に設けられ、所定周波数の波を前記靴から離れた位置の物体に放射して前記物体からの前記波の反射波を受信し、受信した反射波に応じた信号を出力するドップラーセンサを有するセンサ本体部と、
を備え、前記信号に基づいて測定を行うセンサ付きの靴。
【請求項２】
前記センサ本体部は、
前記波が前記靴のつま先の位置を通過する方向を、前記波の放射方向とする
請求項１に記載のセンサ付きの靴。
【請求項３】
前記センサ本体部は、
前記靴を履いた人の足の甲の上に位置するように設けられている
請求項１または２に記載のセンサ付きの靴。
【請求項４】
上方を向くように前記センサ本体部に設けられた表示面を有し、前記表示面に前記測定した結果を表示する表示手段
を備える請求項１から３のいずれか１項に記載のセンサ付きの靴。
【発明の詳細な説明】
【技術分野】
【０００１】
本発明は、身体の力を利用して物体に力を加え該物体の速度を変化させるときの該物体の変化後の速度を測定するヒト装着用速度測定装置およびそれを用いた速度測定方法に関する。
【背景技術】
【０００２】
従来、野球、ゴルフ、テニスなどの様々な競技において、そのボールの移動速度を計測する装置としてドップラーセンサを用いた装置が知られている。マイクロ波ドップラーセンサでは、移動する被測定物体にマイクロ波を放射してその物体からの反射波を測定する。ドップラー効果によって物体の移動速度に応じて反射波の周波数が変化するため、放射波に対する反射波の周波数の差分を検出し、その差分の周波数を有する信号、すなわちドップラー信号から物体の速度を導出するものである。速度や測定環境などの条件によっては超音波を使用した超音波ドップラーセンサも使用可能である。
【０００３】
特許文献１に記載の速度測定装置は、マイクロ波ドップラーセンサを使用した表示手段を有する速度測定装置である。この装置はヒトから離れた場所に設置して移動物体を測定するものであり、野球やゴルフなどの異なる複数の競技に対して、表示情報を生成する処理手段を切り替えることにより、ボールの初速度、終速度や野球バット、ゴルフクラブのスイング速度などの測定モードを選択可能としている。
【０００４】
特許文献２に記載の装置は、測定対象となる物体の近くに装置を設置可能として、低コストで小型のマイクロ波ドップラーセンサを使用した装置を実現している。具体的には、測定対象であるボールの捕球者のグローブや手首に装着可能な装置が記載されている。
【０００５】
一方、ボウリング競技においては、特許文献３に記載のように、レーンの横に設置した２つのセンサ間をボールが通過する時間とセンサ間の距離により通過するボールの速度を検出する装置が知られている。
【先行技術文献】
【特許文献】
【０００６】
【特許文献１】特開２０１１−１５２２９１号公報
【特許文献２】特許第３２３７８５７号公報
【特許文献３】特開平１０−２１１３１４号公報
【発明の概要】
【発明が解決しようとする課題】
【０００７】
特許文献１に記載の速度測定装置は、ボールなどの測定対象からある程度距離を離して設置するため、測定のためにはある程度大きなマイクロ波のパワーが必要となり、このため装置の小型化、低コスト化には制限がある。一方、ヒトがトレーニングのために速度測定装置を使用する場合、身体から常に一定の位置でのボール等の速度を知ることが重要である。例えば投球や投てき競技などの場合、通常、そのボール等が身体から離れるときの速度が最大であり、その速度、すなわち初速を把握することが重要である。特許文献１のようにヒトと独立して速度測定装置を配置した場合、ヒトの立ち位置やボールに触れる身体部分の位置がいつも一定とは限らないため、測定されるボールとヒトの身体部分との相対的な位置関係は一定とはならない。
【０００８】
特許文献２に記載の速度測定装置は、ヒトに装着可能な小型の装置であるが、そのヒトは投球を受ける側のヒトである。このため、ドップラーセンサの位置が投球者から離れているため、上記の初速のように投球者の身体の近くでのボールの速度を測定することは難しい。
【０００９】
特に、ボウリングの場合は、投球技術の向上には、ボールの初速を把握してそれを安定化することや自分に適した初速を見出すことが有効である。しかし従来は、特許文献３に記載のように、レーンの横に設置したセンサによりレーン走行途中のボールの速度を検出しており、投球者のリリース時のボールの初速を簡単に測定する手段はなかった。
【００１０】
本発明の目的は、上記の課題を解決し、例えば競技の対象となる物体などの移動を行うヒトに装着でき、その物体の初速を容易に測定できるヒト装着用速度測定装置およびそれを用いた速度測定方法を提供することにある。
【課題を解決するための手段】
【００１１】
第１の観点では、本発明は、ヒトがその身体の力を利用して物体に力を加え、該物体の速度を変化させるときの該物体の前記変化後の速度を測定するヒト装着用速度測定装置であって、所定周波数の波を前記物体に向けて放射して該物体からの前記波の反射波を受信するアンテナを備え、前記反射波よりドップラー信号を検出して出力するドップラーセンサと、前記アンテナの前記ヒトへの装着手段とを有し、前記ヒトの前記物体に接触する身体部分または前記ヒトと前記物体との間に介在する物から前記物体が離れるとき、該物体に向けて前記波を放射し、その反射波を受信してドップラー信号を検出することを特徴とするヒト装着用速度測定装置を提供する。
【００１２】
上記第１の観点において、ヒトがその身体の力を利用して物体に力を加え、該物体の速度を変化させるときとは、例えば、ボールなどの物体を手に保持して放出する場合や、手足やバット、ラケットなどでボールを打ち返して速度ベクトルを反対向きに変える場合などがあり、変化後の速度とは、例えば、放出直後または打ち返し直後の速度などである。また、物体に接触する身体部分または物体との間に介在する物から前記物体が離れるときとは、例えば、該物体が離れる直前、離れる瞬間または離れた直後である。
【００１３】
例えば、反発力の小さいボールを保持して投球するボウリングなどの場合はボールが手から離れる直前または離れる瞬間の速度、野球やハンドボールなどの投球ではボールが手から離れる瞬間または離れた直後の速度、反発力の大きいボールを使用するバレーやサッカーなど競技や身体との間に介在する物として用具を使用する野球やゴルフのバッティング、テニス、卓球などの場合は、ボールが手足やバット、ゴルフクラブ、ラケット等から離れた直後の速度が最大の速度となり、これを計測できる。
【００１４】
なお、本発明において測定する物体の速度としては、例えば、アンテナと物体とを結ぶ方向の速度成分である。アンテナのヒトへの装着手段としては、例えば、アンテナ自体が直接的にヒトに装着される構成としてもよいが、アンテナをヒトが装着する衣類、帽子、靴などの物を介在して間接的にヒトに装着される構成としてもよい。すなわち本願における「装着」は、例えば直接的に装着する構成としてもよいが、何らかの物を介在させて間接的に装着する構成としてもよい。特に動きと一体的に移動する状態で装着される構成とするとよい。例えば、ヒト装着用とは、ヒトに直接的に装着する構成としてもよいが、何らかの物を介在させてヒトに間接的に装着する構成としてもよい。特にヒトの動きと一体的に移動する状態で装着される構成とするとよい。
【００１５】
また、アンテナからの波の放射は物体の移動の開始から終了まで連続していてもよく、例えば、物体に接触する身体部分または物体との間に介在する物から前記物体が離れるときには物体の方向にその波が放射されている構成とするとよい。
第１の観点による本発明では、例えば、ドップラーセンサのアンテナがボールなどの測定対象の近くに設置され低電力化されることにより装置が小型化され、かつ、基準位置となるヒトの身体に装着されることにより、物体の初速を容易に測定できる。
【００１６】
なお、本発明に使用するドップラーセンサにおいて、ヒトに装着する部分はアンテナのみ、またはアンテナとアンプ部分のみであってもよいが、ドップラーセンサ全体が小型かつ軽量である場合はドップラーセンサ全体を装着可能とするとよい。本発明における物体としては、例えば、ボール以外にも槍投げの槍や円盤投げの円盤などがあり、また、競技以外の一般的な作業において、ヒトが物体をその力で放出する場合などでもその物体の速度を測定でき、あらゆる物体が対象となる。
【００１７】
また、近年のマイクロ波ドップラーセンサ技術の進展により当該センサ装置の高感度化、小型化、低価格化が図られており、例えば、本発明にこうしたマイクロ波ドップラーセンサを使用することにより、より高感度、小型、低価格の装置が得られる。また、例えば、ドップラーセンサにより測定された物体の速度に関するデータを保存する手段を設け、メモリ素子などに初速データなどを保存して、競技やトレーニング後などにその競技動作のビデオなどと比較することにより、技術向上を図ることができる。また、例えば、測定後にメモリ素子などに保存された初速データなどを外部のパーソナルコンピュータなどに取り込み、統計処理や分析処理を行うことにより、競技者の技術向上を図ることができる。
【００１８】
第２の観点では、本発明は、前記第１の観点によるヒト装着用速度測定装置において、前記装着手段は、前記物体に力を伝える身体部分以外の身体部分へ前記アンテナを装着する手段であることを特徴とする。ハンマー投げや砲丸投げなどのように重量の大きい物体を使用する投てき競技では、その物体に力を伝える身体部分である腕に小型、軽量の速度測定装置を装着することも可能であると思われる。しかし他の多くの競技では、本発明の装置の装着による競技中の身体動作に与える影響をできるだけ小さくすること、すなわち競技の邪魔にならないようにすることが望ましい。
【００１９】
第２の観点による本発明では、物体に力を伝える身体部分以外の身体部分、例えば、腕を使って投球する場合は腕以外の頭、肩、胴体部、足部などへの装着手段を有するので、競技中の身体動作に与える影響を小さくできる。さらに、物体に力を伝える身体部分以外の身体部分へ前記アンテナを装着するため、物体に力を伝える身体部分にアンテナを装着する場合と比べて、物体に力を伝える際のその身体部分の移動に伴うアンテナの移動によって生じるドップラー信号への影響を受けにくくすることができる。
【００２０】
なお、例えば、第１の観点においてヒトがその身体の力を利用して物体に力を加える場合には身体の多くの部分の力を総合的に利用する構成を採りうるが、第２の観点において、前記物体に力を伝える身体部分とは、例えば、物体に接触する身体部分または物体との間に介在する用具などを保持する身体部分を有する身体の一部分であり、例えば、物体に手が接触する場合または手で用具を保持する場合は腕全体、速度を変化させるために足を使う場合は脚部全体などとするとよい。
【００２１】
第３の観点では、本発明は、前記第２の観点によるヒト装着用速度測定装置において、前記装着手段は、前記物体に力を伝える身体部分以外の身体部分であって、前記物体に接触する身体部分または前記物体との間に介在する物から前記物体が離れるときの位置の変化の速さが他の部分より小さい身体部分へ前記アンテナを装着する手段であることを特徴とする。ドップラー効果により測定される速度は、アンテナと物体との相対的な速度であるので、アンテナの装着位置は測定時の位置の変化率が小さい位置が望ましい。
【００２２】
第４の観点では、本発明は、前記第２または前記第３の観点によるヒト装着用速度測定装置において、前記装着手段は、前記物体に力を伝える身体部分以外の身体部分であって、前記物体に力を加えるときの筋肉の収縮または弛緩が他の部分より少ない身体部分へ前記アンテナを装着する手段であることを特徴とする。
【００２３】
第４の観点による本発明では、物体に力を伝えるときにあまり使用しない筋肉を有する身体部分または筋肉をあまり有しない身体部分への装着手段を有するので、競技中の身体動作に与える影響をさらに小さくできる。また、物体に力を伝えるときの筋肉の収縮または弛緩によるアンテナ位置の移動によって生じるドップラー信号への影響を受けにくくすることができる。
【００２４】
第５の観点では、本発明は、前記第２から前記第４のいずれかの観点によるヒト装着用速度測定装置において、前記装着手段は、前記物体に力を伝える身体部分以外の身体部分であって、前記物体に力を伝える身体部分または該身体部分に保持された用具から前記物体が離れるときに前記物体が近接して通過する身体部分へ前記アンテナを装着する手段であることを特徴とする。アンテナを被測定対象である物体のより近くの身体部分に設置することは、装置の低電力化と小型化に有効であり、かつ、物体の初速をより容易に測定できる。
【００２５】
第６の観点では、本発明は、前記第１から前記第５のいずれかの観点によるヒト装着用速度測定装置において、前記装着手段は、前記物体に接触する身体部分または前記物体との間に介在する物から前記物体が離れるときに前記物体が移動する方向が前記アンテナが指向性を有する方向の範囲内に含まれるように前記アンテナを配置する装着手段であることを特徴とする。アンテナの指向性を物体の移動方向に合わせることにより、測定精度の向上が図れる。特に、アンテナが指向性を有する方向の範囲内として、電力半値角の範囲内とするとよい。このようにすれば、より確実に速度を測定することができる。
【００２６】
第７の観点では、本発明は、前記第１から前記第６のいずれかの観点によるヒト装着用速度測定装置において、前記物体はボウリングのボールであることを特徴とする。特に、ボウリングにおいて、第７の観点による本発明を用いることにより、例えば、投球者のボールのリリース時のボールの初速を簡単に測定することができる。
【００２７】
第８の観点では、本発明は、前記第７の観点によるヒト装着用速度測定装置において、前記装着手段は、ボウリングするヒトの軸足へ前記アンテナを装着する手段であることを特徴とする。ボウリングのボールの投球において、通常、ボールのリリース時にそのボールは、リリース時に前に出る足、すなわち軸足、具体的には右手投球の場合は左足、左手投球の場合は右足の横を通過するので、ドップラーセンサ全体またはドップラーセンサのアンテナをその軸足に装着することで、測定精度が向上する。また、競技の邪魔にもなりにくい。
【００２８】
第９の観点では、本発明は、前記第８の観点によるヒト装着用速度測定装置において、前記装着手段は、前記ボウリングするヒトの軸足の膝より下の部分または前記ボウリングするヒトが軸足に履いた靴へ前記アンテナを装着する手段であることを特徴とする。具体的には膝、足首、足、靴などへの装着手段である。靴に装着する場合、ボウリングをする時にその都度装着する手段や靴に埋め込む手段であってもよい。横を通過するボールにより近い部分にドップラーセンサ全体またはドップラーセンサのアンテナを装着することにより、装置の低電力化による小型、軽量化や測定精度の向上が図れる。
【００２９】
第１０の観点では、本発明は、前記第１から前記第９のいずれかの観点によるヒト装着用速度測定装置において、前記ドップラーセンサにより測定された該物体の速度の表示手段を有し、該表示手段の表示面は、前記物体に接触する身体部分または前記物体との間に介在する物から前記物体が離れた直後に前記ヒトが視認可能な位置に配置されるように構成されていることを特徴とする。
【００３０】
例えば、アンテナの設置位置がそのヒトの頭より下の身体部分で、アンテナの放射方向が水平前方であり、アンテナと表示手段が一体化されている場合は、表示面はアンテナの上面に配置することができる。あるいは、ドップラーセンサと有線または無線通信で接続された表示器を備え、その表示器を前記ヒトが視認しやすい位置に設置してもよい。また、本発明においては、表示手段の代わりに、物体の速度を音声によって前記ヒトに通知する手段を備えることも可能である。
【００３１】
第１１の観点では、本発明は、前記第１から前記第１０のいずれかの観点によるヒト装着用速度測定装置において、前記ドップラーセンサはマイクロ波ドップラーセンサであって、前記アンテナの前記波の放射面は前記ヒトが着用する衣類の内側に配置されるように構成されていることを特徴とする。マイクロ波ドップラーセンサの場合、電磁波は一般的な衣服を透過するため、アンテナまたは装置全体が衣服や帽子、サポーターなどの内側に装着されるような構成としてもよい。但し、前記第１０の観点の速度の表示手段を装着する場合は、ヒトが視認可能とするためには、表示部だけはその衣服などに覆われないように構成するとよい。
【００３２】
第１２の観点では、本発明は、前記第１から前記第１１のいずれかの観点によるヒト装着用速度測定装置において、前記ドップラーセンサは筐体の中に一体として構成され、前記筐体中に前記ドップラーセンサの駆動用の電池を有し、前記筐体の前記ヒトへの装着手段を有することを特徴とする。
【００３３】
第１２の観点の本発明においては、ドップラーセンサを構成するアンテナと回路部などは、例えば１つの筐体に一体化され、その筐体をヒトへ装着する手段を有している。また、ドップラーセンサの駆動電源として電池を筐体内に内蔵しているので、ドップラーセンサを電源線に接続する必要がなくなる。装置を小型化し、装置からの配線を除くことで、競技者の身体動作に与える影響を最小限に抑えることができる。
【００３４】
第１３の観点では、本発明は、請求項１ないし１２のいずれか１項に記載のヒト装着用速度測定装置を用いて、ヒトがその身体の力を利用して物体に力を加え、該物体の速度を変化させるときの該物体の前記変化後の速度を測定する速度測定方法を提供する。
【００３５】
第１４の観点では、本発明は、コンピュータを、前記第１から前記第１２のいずれかの観点によるヒト装着用速度測定装置として機能させるためのプログラムを提供する。
【発明の効果】
【００３６】
本発明のヒト装着用速度測定装置によれば、例えば競技の対象となる物体などの移動を行うヒトに装着でき、その物体の初速を容易に測定できるヒト装着用速度測定装置およびそれを用いた速度測定方法が得られる。
【図面の簡単な説明】
【００３７】
【図１】実施例１に係るヒト装着用速度測定装置を示す斜視図。
【図２】実施例１の主要部であるマイクロ波ドップラーセンサの構成の一例を示すブロック構成図。
【図３】実施例１のヒト装着用速度測定装置をヒトの足首に装着した様子を示す斜視図。
【図４】実施例２に係るヒト装着用速度測定装置を示す斜視図。
【図５】実施例３に係るヒト装着用速度測定装置を示し、靴に装着した様子を示す斜視図。
【図６】実施例４に係るヒト装着用速度測定装置を示し、靴に装着した様子を示す斜視図。
【発明を実施するための形態】
【００３８】
以下、図に示す実施例により本発明をさらに詳細に説明する。なお、これにより本発明が限定されるものではない。
【実施例１】
【００３９】
図１は、実施例１に係るヒト装着用速度測定装置１００を示す。ヒト装着用速度測定装置１００は、ヒトがボールを放出したり打ち返したりするときのそのボールの速度を測定する装置であり、ボールを放出したり打ち返したりするヒトの足首への装着手段を備えている。特に、ボウリングするヒトがボールを放出するときのそのボールの速度を測定するために好適な装置である。ボウリングの投球に使用する場合は軸足の足首に装着する。野球やソフトボールなどの投球の場合は軸足ではなく、前に踏み出す足の足首に装着する。サーカーにおいて蹴った後のボールの速度を測定する場合は軸足の足首に装着する。
【００４０】
図１に示すように、ヒト装着用速度測定装置１００は、マイクロ波ドップラーセンサ１０を１つの筐体内に内蔵して構成したセンサ本体部１と、センサ本体部１をヒトの足首に装着する手段である巻き付け用ベルト３とから構成されている。
【００４１】
センサ本体部１は、略直方体形状であり、その一面を身体への装着面とし、身体から突出する方向の長さは身体に沿った方向の長さよりも短くして、上記の運動や競技における身体動作の邪魔にならないように構成されている。巻き付け用ベルト３は、その一端がセンサ本体部１に固定され他端にテープ状のファスナーを設けた２つのベルトから構成され、上記テープ状のファスナー同士を貼り合わせることによりセンサ本体部１を足首に装着する。
【００４２】
また、センサ本体部１は測定されたボールの速度の表示手段を有し、測定された速度を表示する表示面４を備えている。マイクロ波５の放出面２は、身体への装着面と対向する側の面に設け、放出面２の上側に表示面４を設けている。表示面４は、ヒト装着用速度測定装置１００を装着したヒトが当該装置の方向を見た場合に、視認可能な面としている。
【００４３】
図２は、本実施例の主要部であるマイクロ波ドップラーセンサの構成の一例を示すブロック構成図である。図２に示すように、マイクロ波ドップラーセンサ１０において、マイクロ波発信器１２で生成されたマイクロ波はアンテナ１１から放射されて測定対象物に到達し、測定対象物で反射したマイクロ波は再びアンテナ１１で受信される。この受信された反射波は、マイクロ波発信器１２で生成された信号とミキサ１３で混合される。測定対象物がアンテナに対して相対的な速度を持つ場合は、ドップラー効果により反射波の周波数が変化するため、ミキサ１３の出力には、その差分の周波数をもつ信号が現れる。この信号はアンプ１４で増幅されて出力される。
【００４４】
図２の場合、アンテナ１１は送信と受信で共用しているが、送信用、受信用のアンテナを分離して備えてもよい。アンテナ１１としてはパッチアンテナ、ホーンアンテナなどが使用できる。マイクロ波ドップラーセンサ１０の出力はセンサ本体部１内の処理回路において処理され、速度データに変換される。例えば、出力周波数が２４．１５ＧＨｚ等の所定の周波数のマイクロ波ドップラーセンサ１０と、当該ドップラーセンサの出力信号（上記周波数では１波が６ｍｍの移動に相当する信号）を基準値と比較し、ドップラーパルス（基準値以上の場合にハイレベルを基準値より小さい場合にはローレベルの信号）を出力するコンパレータと、コンパレータから出力された信号を入力して、基準クロックによりドップラーパルスの１周期の時間を計測して速度を求めるマイクロコントローラ（制御部）と、マイクロコントローラからの制御によって速度の表示を行う表示手段としての表示器を備える構成するとよい。
【００４５】
あるいは、コンパレータに替えて、または、コンパレータを備えるとともに、当該ドップラーセンサの出力信号をマイクロコントローラ（制御部）に入力してＦＦＴ等の所定の信号処理によりその出力信号の周波数を求め、これにより速度を求めて表示手段に表示する構成としてもよい。上記の処理回路は従来と同様な処理回路を使用できる。例えば、特開２００８−２４６１３９号公報の図２に記載された構成や特開２０１０−２５７３７号公報の図４に記載された構成と同様の構成を採ることができる。なお、例えば、アンプ１４はドップラーセンサの外部に設けるようにしてもよい。
【００４６】
図３は、ヒト装着用速度測定装置１００をヒトの足首に装着した様子を示す。図３に示すように、ヒト装着用速度測定装置１００は、例えば、ボウリングするヒトの軸足の足首に装着して使用する。図３は右手投球において左足に装着する場合を示し、アンテナの放出面２が前方を向くように取り付けられ、マイクロ波５は前方、すなわちボールが手から離れるときボールが移動する方向に向けて放射される。
【００４７】
この場合、アンテナからのマイクロ波５の放射期間は、競技の開始から終了まで連続していてもよく、または、投球動作の開始から一定時間の間、またはボールが手から離れるときから一定時間の間など、任意に設定可能な構成としてもよい。本実施例においては、リリース時にボールは左足に近接して横を通過するので、本体部１をその軸足に装着することでボールとアンテナとの距離が近くなり、測定精度が向上する。また、このような足首への装着はボウリングの投球動作の邪魔にもなりにくい。
【００４８】
さらに、ボールが手から離れるときの足首の位置の変化の速さは他の部分より小さく、また、投球動作時の筋肉の収縮または弛緩によるアンテナの位置の変動も小さいので、アンテナの移動によって生じるドップラー信号への影響を受けにくい。
測定された速度の最大値がリリースされたボールの初速であるので、表示手段はその最大速度を表示面４に表示するとよい。センサ本体部１にメモリ素子を内蔵して速度のデータをそこに記憶してもよく、また無線手段を内蔵して離れた場所の表示器やコンピュータなどに速度データを送信してもよい。
【００４９】
このような機能を実現するために、通信インターフェイスやメモリ素子挿入口などをセンサ本体部１に設けてもよい。離れた表示器を有する場合は、センサ本体部１は衣類の内側に装着されていてもよい。図示は省略するがセンサ本体部１には操作スイッチが設けられている。また、マイクロ波ドップラーセンサ１０などへの電源供給のため電池が内蔵されている。
【実施例２】
【００５０】
図４は、実施例２に係るヒト装着用速度測定装置２００を示す。本実施例において実施例１と同一部材については同一の符号を付し、その重複する説明は省略する。
ヒト装着用速度測定装置２００は、ヒトがボールを放出したり打ち返したりするときのそのボールの速度を測定する装置であり、ボールを放出したり打ち返したりするヒトの足の膝への装着手段を備えている。
図４において、ヒト装着用速度測定装置２００は、実施例１と同様なマイクロ波ドップラーセンサを内蔵したセンサ本体部１と、固定ベルト６とから構成される。
【００５１】
本実施例においても、センサ本体部１は略直方体形状であり、その一面を身体への装着面とし、身体から突出する方向の長さは身体に沿った方向の長さよりも短くして、上記の運動や競技における身体動作の邪魔にならないように構成されている。マイクロ波５の放射面は膝の前方を向くように装着して使用する。ボウリングの投球に使用する場合は軸足の膝に装着する。野球やソフトボールなどの投球の場合は軸足ではなく、前に踏み出す足の膝に装着する。サーカーにおいて蹴った後のボールの速度を測定する場合は軸足の膝に装着する。ボールが手や足から離れる瞬間の上記の膝の位置の変化の速さは他の部分より比較的小さく、また、筋肉の収縮または弛緩によるアンテナの位置の変動も小さいので、アンテナの移動によって生じるドップラー信号への影響を受けにくい。
【００５２】
固定ベルト６はゴムのように伸び縮みする素材が望ましく、膝用のサポーターを利用することも可能である。センサ本体部１は測定されたボールの速度の表示手段を有し、マイクロ波５の放出面２の上面に、測定された速度の表示面４を備えている。また、センサ本体部１は固定ベルトの内側に装着されていてもよく、表示面４を利用しない場合は、センサ本体部１が衣類の内側に装着されていてもよい。
【００５３】
本実施例においても、投球するヒトの身体に対する相対的な距離および方向がいつもほぼ一定の位置でのボールの速度を測定でき、それぞれの競技のトレーニングや技術向上に有効に寄与することができる。
【実施例３】
【００５４】
図５は、実施例３に係るヒト装着用速度測定装置３００を靴に装着した様子を示す。ヒト装着用速度測定装置３００は、ヒトがボールを放出したり打ち返したりするときのそのボールの速度を測定する装置であり、ボールを放出したり打ち返したりするヒトが履いた靴への装着手段を備えている。特に、ボウリングするヒトがボールを放出するときのそのボールの速度を測定するために好適な装置である。ボウリングの投球に使用する場合は軸足に履いた靴に装着する。野球やソフトボールなどの投球の場合は軸足ではなく、前に踏み出す足に履いた靴に装着する。サーカーにおいて蹴った後のボールの速度を測定する場合は軸足に履いた靴に装着する。
【００５５】
図５に示すように、ヒト装着用速度測定装置３００は、マイクロ波ドップラーセンサを内蔵したセンサ本体部２０と、図示されていない靴２６への装着手段とから構成される。センサ本体部２０は略直方体形状であり、その一面を靴への装着面とし、その形状が上記の運動や競技における身体動作の邪魔にならないように構成されている。マイクロ波５の放射面２は靴２６の前方を向くように装着して使用する。
また、センサ本体部２０は測定されたボールの速度の表示手段を有し、マイクロ波５の放出面２２の上面に、測定された速度の表示面２４を備えている。センサ本体部２０には操作スイッチが設けられ、マイクロ波ドップラーセンサなどへの電源供給のため電池が内蔵されている。
【００５６】
本実施例における靴２６への装着手段としては、例えば、センサ本体部２０の裏面と靴２６の取り付け箇所に張り付け、引き剥がしが可能なテープ状のファスナーを設けて装着すること、センサ本体部２０の裏面にフックを設けて靴紐に引っ掛けて装着すること、ゴムベルトなどで靴に固定することなどが可能である。
【００５７】
本実施例においても、ボールが手や足から離れる瞬間の本装置３００を装着した靴の位置の変化の速さは小さく、また、投球動作などにおける筋肉の収縮または弛緩による影響が少ないので、アンテナの移動によって生じるドップラー信号への影響を受けにくい。例えばボウリングの場合、リリース時にボールは軸足に履いた靴に近接して横を通過するので、センサ本体部２０をその靴に装着することでボールとアンテナとの距離が近くなり、測定精度が向上する。
【実施例４】
【００５８】
図６は、実施例４に係るヒト装着用速度測定装置４００を靴に装着した様子を示す。ヒト装着用速度測定装置４００も実施例３と同様に、ヒトがボールを放出したり打ち返したりするときのそのボールの速度を測定する装置であり、ボールを放出したり打ち返したりするヒトが履いた靴への装着手段を備えている。特に、ボウリングするヒトがボールを放出するときのそのボールの速度を測定するために好適な装置である。各競技において装着する足も実施例３と同様である。
【００５９】
図６に示すように、ヒト装着用速度測定装置４００は、マイクロ波ドップラーセンサを内蔵したセンサ本体部３０が靴に一体化されて埋め込まれている。マイクロ波５の放射面２は靴の前方を向くように固定されている。
また、センサ本体部３０は測定されたボールの速度の表示手段を有し、マイクロ波５の放出面３２の上面に、測定された速度の表示面３４を備えている。センサ本体部３０には操作スイッチが設けられ、マイクロ波ドップラーセンサなどへの電源供給のため電池が内蔵されている。
【００６０】
本実施例においては、センサ本体部３０が靴に一体化されて埋め込まれているので、本装置を使用する場合の取り付けの手間が省け、装着手段としての固定強度や安定性に優れている。他にも、実施例３と同様な効果が得られる。
【符号の説明】
【００６１】
１、２０、３０        センサ本体部
２          放出面
３          巻き付け用ベルト
４、２４、３４        表示面
５          マイクロ波
６          固定ベルト
１０        マイクロ波ドップラーセンサ
１１        アンテナ
１２        マイクロ波発信器
１３        ミキサ
１４        アンプ
２６        靴
１００、２００、３００  ヒト装着用速度測定装置
【図１】
2019217287.tif 000003
【図２】
2019217287.tif 000004
【図３】
2019217287.tif 000005
【図４】
2019217287.tif 000006
【図５】
2019217287.tif 000007
【図６】
2019217287.tif 000008